(57)【要約】      （修正有）【課題】ワイヤー入りの布製のリボンアクセサリーに関し、リボンに様々なアレンジを加えることができるとともに、こうしたアレンジを容易に行うことができるリボン通し具を提供する。【解決手段】筐体１３と蓋部１８とで構成される箱体を備えた。箱体の長手方向の両側部には開口を設けた。筐体１３の内部には、カバークロスを外装させてリボンを挿通させるための筒状部材２０を設けた。筒状部材２０は、筒状部材２０の中空部２０ｃと開口とが一直線上に連通するように筐体１３の内部に収容されるようにした。【選択図】図４
0003166839.tif 000002
【実用新案登録請求の範囲】
【請求項１】
ワイヤー入りの布製のリボンを、筒状に縫製されたカバークロスに通すためのリボン通し具であって、
筐体と、前記筐体の上部側に開閉自在に取り付けられる蓋部と、で構成される箱体を備え、
前記箱体の長手方向の両側部には開口が設けられ、
前記筐体の内部には、前記カバークロスを外装させて前記リボンを挿通させるための筒状部材が設けられ、
前記筒状部材は、前記筒状部材の中空部と前記開口とが一直線上に連通するように前記筐体の内部に収容されることを特徴とする、リボン通し具。
【請求項２】
前記筒状部材は、前記筐体の内部に回動自在に固定され、
前記筒状部材は、少なくとも、略水平に前記筐体の内部に収容される収容位置から、先端を前記筐体の外部に突出させた起立位置までの間で回動可能であることを特徴とする、請求項１記載のリボン通し具。
【請求項３】
前記筐体の内部には、前記筒状部材の先端付近に仕切板が設けられ、
前記仕切板の上部には、前記筒状部材の径よりも幅広に形成されたＵ字状の切欠きが設けられており、
前記筒状部材は、先端付近が前記切欠きとの間に間隙を設けて前記切欠きに入り込むことを特徴とする、請求項１又は２記載のリボン通し具。
【請求項４】
前記仕切板は、前記筐体の内部に設けられた仕切板取付部に取り付けられるものであって、
前記仕切板取付部を複数設けたことを特徴とする、請求項３記載のリボン通し具。
【請求項５】
前記開口は、前記筐体に設けられた下部切欠きと、前記蓋部に設けられた上部切欠きと、で形成されることを特徴とする、請求項１〜４のいずれかに記載のリボン通し具。
【請求項６】
前記筒状部材の先端と、この先端が臨む前記開口と、の間には間隙が設けられていることを特徴とする、請求項１〜５のいずれかに記載のリボン通し具。
【考案の詳細な説明】
【技術分野】
【０００１】
この考案は、ワイヤー入りの布製のリボンを、筒状に縫製されたカバークロスに通すためのリボン通し具に関するものである。
【背景技術】
【０００２】
従来、頭部に装着するヘアアクセサリーとして種々のものが知られている（例えば、特許文献１参照）。
【０００３】
近年、こうしたヘアアクセサリーとして、「うさみみ」などと呼称されるヘアバンドが流行している。この「うさみみ」は、ワイヤー入りの布製のリボンからなるもので、このリボンを頭部に巻き付けた上で両端部を一緒にしてひねり、結んで留めたものである。この留めた端部の形状がうさぎの耳に似ていることから、「うさみみ」と呼ばれている。
【先行技術文献】
【特許文献】
【０００４】
【特許文献１】実開平６−１１６０２号公報
【考案の概要】
【考案が解決しようとする課題】
【０００５】
本考案は、上記したようなワイヤー入りの布製のリボンアクセサリーに関し、リボンに様々なアレンジを加えることができるとともに、こうしたアレンジを容易に行うことができるリボン通し具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
【０００８】
すなわち、請求項１に記載のリボン通し具は、ワイヤー入りの布製のリボンを筒状に縫製されたカバークロスに通すためのリボン通し具であって、筐体と、前記筐体の上部側に開閉自在に取り付けられる蓋部と、で構成される箱体を備え、前記箱体の長手方向の両側部には開口が設けられ、前記筐体の内部には、前記カバークロスを外装させて前記リボンを挿通させるための筒状部材が設けられ、前記筒状部材は、前記筒状部材の中空部と前記開口とが一直線上に連通するように前記筐体の内部に収容されることを特徴とする。
【０００９】
（請求項２）
請求項２に記載の考案は、上記した請求項１記載の考案の特徴点に加え、以下の点を特徴とする。
【００１０】
すなわち、前記筒状部材は、前記筐体の内部に回動自在に固定され、前記筒状部材は、少なくとも、略水平に前記筐体の内部に収容される収容位置から、先端を前記筐体の外部に突出させた起立位置までの間で回動可能であることを特徴とする。
【００１１】
（請求項３）
請求項３に記載の考案は、上記した請求項１又は２記載の考案の特徴点に加え、以下の点を特徴とする。
【００１２】
すなわち、前記筐体の内部には、前記筒状部材の先端付近に仕切板が設けられ、前記仕切板の上部には、前記筒状部材の径よりも幅広に形成されたＵ字状の切欠きが設けられており、前記筒状部材は、先端付近が前記切欠きとの間に間隙を設けて前記切欠きに入り込むことを特徴とする。
【００１３】
（請求項４）
請求項４に記載の考案は、上記した請求項３記載の考案の特徴点に加え、以下の点を特徴とする。
【００１４】
すなわち、前記仕切板は、前記筐体の内部に設けられた仕切板取付部に取り付けられるものであって、前記仕切板取付部を複数設けたことを特徴とする。
【００１５】
（請求項５）
請求項５に記載の考案は、上記した請求項１〜４のいずれかに記載の考案の特徴点に加え、以下の点を特徴とする。
【００１６】
すなわち、前記開口は、前記筐体に設けられた下部切欠きと、前記蓋部に設けられた上部切欠きと、で形成されることを特徴とする。
【００１７】
（請求項６）
請求項６に記載の考案は、上記した請求項１〜５のいずれかに記載の考案の特徴点に加え、以下の点を特徴とする。
【００１８】
すなわち、前記筒状部材の先端と、この先端が臨む前記開口と、の間には間隙が設けられていることを特徴とする。
【考案の効果】
【００１９】
請求項１に記載の考案は上記の通りであり、カバークロスを外装させてリボンを挿通させるための筒状部材を備え、前記筒状部材は、前記筒状部材の中空部と前記開口とが一直線上に連通するように前記筐体の内部に収容される。すなわち、一方の開口からリボンを挿入すると、このリボンは前記筒状部材の内部を挿通して、他方の開口へとガイドされるようになっている。このリボン通し具を使用する場合には、筒状部材にカバークロスを外装させた後に、リボンを筒状部材に挿通させ、リボンとカバークロスを一緒に筒状部材から引き抜く。これにより、リボンの外側にカバークロスを取り付けることができる。このため、リボンに対して様々なカバークロスを外装させ、リボンに様々なアレンジを加えることができるとともに、こうしたアレンジを上記したリボン通し具を使用して容易に行うことができる。
【００２０】
請求項２に記載の考案は上記の通りであり、カバークロスを外装させてリボンを挿通させるための筒状部材は、少なくとも、略水平に前記筐体の内部に収容される収容位置から、先端を前記筐体の外部に突出させた起立位置までの間で回動可能である。このため、筒状部材を起立位置に回動させることで、外部に突出した筒状部材に容易にカバークロスを外装させることができる。そして、カバークロスを外装させたら、筒状部材を収容位置に回動させ、筒状部材の内部にリボンを挿通させるための配置（前記筒状部材の中空部と箱体の両側部にある開口とが一直線上に連通する配置）とすることができる。
【００２１】
また、請求項３に記載の考案は上記の通りであり、前記筐体の内部には、前記筒状部材の先端付近に仕切板が設けられ、前記仕切板の上部には、前記筒状部材の径よりも幅広に形成されたＵ字状の切欠きが設けられており、前記収容位置にある前記筒状部材は、先端付近が前記切欠きとの間に間隙を設けて前記切欠きに入り込むようになっている。このため、前記間隙にカバークロスを差し込むようにして、前記筒状部材と切欠きとでカバークロスを挟み込むことで、カバークロスに対して摩擦抵抗を付加することができる。このため、例えばカバークロスを折り畳んで筒状部材に外装することとした場合、折り畳み部分を前記切欠きによって押えることで、折り畳んだカバークロスが元の状態に伸びてしまうことを防止できる。
【００２２】
また、請求項４に記載の考案は上記の通りであり、前記仕切板は、前記筐体の内部に設けられた仕切板取付部に取り付けられるものであって、前記仕切板取付部を複数設けている。このため、カバークロスの厚みに合わせて仕切板の取り付け位置を変更でき、厚みのことなるカバークロスにも対応することができる。
【００２３】
また、請求項５に記載の考案は上記の通りであり、前記開口は、前記筐体に設けられた下部切欠きと、前記蓋部に設けられた上部切欠きと、で形成されている。このため、筒状部材に外装したカバークロスを開口から引き出した状態にするときに、カバークロスの端部を前記下部切欠きから外部に出した状態で蓋部を閉じればよいので、容易に作業を行うことができる。
【００２４】
また、請求項６に記載の考案は上記の通りであり、前記収容位置にある前記筒状部材の先端と、この先端が臨む前記開口と、の間には間隙が設けられている。このため、筒状部材の内径を開口の径と略等しく形成した場合でも、この間隙を利用してカバークロスを開口から引き出した状態にすることができる。言い換えると、筒状部材の内径を開口の径と略等しくすることができるので、筒状部材にリボンを挿通し易くすることができる。
【図面の簡単な説明】
【００２５】
【図１】リボン通し具を正面右斜めから見た外観斜視図である。
【図２】リボン通し具を正面左斜めから見た外観斜視図である。
【図３】蓋部を開放したリボン通し具の外観斜視図であって、筒状部材が収容位置にある状態を示す図である。
【図４】蓋部を開放したリボン通し具の外観斜視図であって、筒状部材が起立位置にある状態を示す図である。
【図５】仕切板を取り外したリボン通し具の外観斜視図である。
【図６】収容位置にある筒状部材と仕切板との関係を示す説明図である。
【図７】リボン通し具の使用状態を説明する図であって、起立位置にある筒状部材に対してカバークロスを取り付けた状態を示す図である。
【図８】リボン通し具の使用状態を説明する図であって、カバークロスを取り付けた筒状部材を収容位置に回動させた状態を示す図である。
【図９】リボン通し具の使用状態を説明する図であって、リボンを差し込む様子を示す図である。
【図１０】リボン通し具の使用状態を説明する図であって、カバークロス及びリボンをリボン通し具から抜きとる様子を示す図である。
【図１１】（ａ）カバークロスに通したリボンを示す図、（ｂ）カバークロスに通したリボンを頭部に巻き付けた様子を示す図である。
【考案を実施するための形態】
【００２６】
本考案の実施形態について、図を参照しつつ説明する。
【００２７】
本実施形態に係るリボン通し具１０は、ワイヤー入りの布製のリボン３０を、筒状に縫製されたカバークロス３１に通すためのものであり、箱体１１を備えて構成される。
【００２８】
箱体１１は、図１及び図２に示すように、筐体１３と、前記筐体１３の上部側にヒンジ１２を介して開閉自在に取り付けられる蓋部１８と、で構成されている。ヒンジ１２の逆側には、蓋部１８には留具１９が、筐体１３には掛留部１７が設けられている。留具１９は、蓋部１８を閉じたときに掛留部１７に係合するものであり、これにより筐体１３と蓋部１８とを閉じた状態で固定するためのものである。
【００２９】
この箱体１１の長手方向の両側部には、互いに対向する位置に開口１１ａが設けられている。この開口１１ａは、図３に示すように、前記筐体１３の両側部の上縁に設けられた下部切欠き１３ａと、前記蓋部１８の両側部の下縁に設けられた上部切欠き１８ａと、が合わさることにより形成されるものである。このため、蓋部１８を開放すると、開口１１ａも開放され、筐体１３に設けられた下部切欠き１３ａが上方に向けて開放されるようになっている。
【００３０】
また、前記筐体１３の内部には、カバークロス３１を外装させてリボン３０を挿通させるための筒状部材２０が設けられている。この筒状部材２０は、基端２０ａが、前記筐体１３の内部に形成された筒状部材固定部１４に対して回動自在に固定されており、先端２０ｂを上方に持ち上げることで、図３に示す収容位置から、図４に示す起立位置まで回動可能となっている。
【００３１】
この筒状部材２０は、図３に示す収容位置においては、略水平に前記筐体１３の内部に収容されるようになっており、すなわち、その中空部２０ｃが略水平となるようになっている。これにより、前記筒状部材２０が収容位置にあるときには、この筒状部材２０の中空部２０ｃと前記開口１１ａとが一直線上に連通するように配置される。
【００３２】
なお、この筒状部材２０の長さは、前記筐体１３よりもやや短く形成されている。このため、筒状部材２０を収容位置に収めたときに、筒状部材２０の先端２０ｂと、この先端２０ｂが臨む前記開口１１ａと、の間には１〜２ｃｍ程度の間隙が設けられている。
【００３３】
また、この筒状部材２０の中空部２０ｃの径は、前記開口１１ａと略等しく形成されている。このため、前記筒状部材２０が収容位置にあるときに開口１１ａを正面から見ると、あたかも中空部２０ｃと開口１１ａとが一体的に連続しているかのように見える。このように中空部２０ｃと開口１１ａとが略等しい径で形成されることにより、後述するように筒状部材２０にリボン３０を挿通する際に、リボン３０の挿通がスムーズに行えるようになっている。
【００３４】
そして、この筒状部材２０を図４に示す起立位置まで回動させると、その先端２０ｂは前記筐体１３の外部に突出させられることとなる。これにより、筒状部材２０の開放端が露わとなるので、後述するカバークロス３１の取り付けが容易となっている。
【００３５】
ところで、前記筐体１３の内部には、図５に示すように複数の仕切板取付部１５，１６が設けられており、この仕切板取付部１５，１６に対して仕切板２１を取り付け可能となっている。本実施形態においては、前記筒状部材２０の先端２０ｂ付近に第１係止溝１５と第２係止溝１６との２つの仕切板取付部が形成され、この第１係止溝１５及び第２係止溝１６のいずれにも仕切板２１を取り付けることができるようになっている。
【００３６】
仕切板２１は、図５に示すように、上部にＵ字状の切欠き２１ａが設けられた板状部材であり、両側に突出形成された係止部２１ｂが係止されることで、切欠き２１ａが上方を向くように前記した第１係止溝１５又は第２係止溝１６に取り付けられて使用される。
【００３７】
仕切板２１の切欠き２１ａは、筒状部材２０に取り付けたカバークロス３１に対して所定の摩擦抵抗を与えるためのものであり、前記筒状部材２０の径よりも幅広に形成されている。このため、図６に示すように、前記収容位置にある前記筒状部材２０は、先端２０ｂ付近が前記切欠き２１ａとの間に間隙Ｓを設けて、前記切欠き２１ａに入り込むようになっている。なお、この間隙Ｓは、カバークロス３１が自由に動かないように押さえつつも人力で引っ張り出すことができる程度の摩擦抵抗を与えるように設定されており、概ね３〜４ｍｍ程度の幅で設けられている。
【００３８】
次に、このリボン通し具１０の使用方法について説明する。
【００３９】
本実施形態においては、頭部に巻きつけることができる程度の長さで形成されたリボン３０と、このリボン３０よりもやや短く形成されたカバークロス３１と、を用い、カバークロス３１の筒内にリボン３０を通す方法について説明する。
【００４０】
まず、リボン通し具１０にカバークロス３１を取り付ける。すなわち、図７に示すように、箱体１１の蓋部１８を開き、筒状部材２０を持ち上げて起立位置に回動させることで筒状部材２０を筐体１３の外部に突出させ、この突出した筒状部材２０の先端２０ｂ側からカバークロス３１を外装する。本実施形態においては、筒状部材２０よりも長いカバークロス３１を使用しているため、カバークロス３１を折り畳んで筒状部材２０に外装する。このとき、折り畳んだカバークロス３１の厚みに応じて仕切板２１の取り付け位置を変更してもよい。すなわち、カバークロス３１の生地の厚みによって、ひだを作ったときのボリュームが異なるため、仕切板２１を第１係止溝１５又は第２係止溝１６のいずれかに取り付けることで、仕切板２１の位置を調節してもよい。
【００４１】
その後、図８に示すように、筒状部材２０を倒して収容位置に回動させ、カバークロス３１をセットする。このとき、カバークロス３１の端部は、下部切欠き１３ａからはみ出すようにする。また、折り畳んだカバークロス３１は、前記切欠き２１ａを用いて押えるようにする。
【００４２】
カバークロス３１の端部付近を記切欠き２１ａを用いて押えるのは、カバークロス３１を筒状部材２０と切欠き２１ａとで挟み込むことで、カバークロス３１に対して摩擦抵抗を付加し、折り畳んだカバークロス３１が元の状態に伸びてしまわないようにするためである。また、このように摩擦抵抗が付加されていることにより、後述するようにリボン３０が挿通した際に、カバークロス３１がリボン３０に引っ張られて筒状部材２０から抜けてしまうこともない。
【００４３】
この状態で蓋部１８を閉じると、図９に示すように、開口１１ａの片側からカバークロス３１の端部がはみ出した状態となる。
【００４４】
このようにカバークロス３１をセットしたら、リボン通し具１０にリボン３０を挿通する。すなわち、ワイヤーが真っ直ぐになるように伸ばしたリボン３０を、カバークロス３１がはみ出していない方の開口１１ａに差し込む。このとき、箱体１１の両側部にある開口１１ａは、筒状部材２０の中空部２０ｃと一直線上に連通するように配置されているので、一方の開口１１ａからリボン３０を挿入すると、このリボン３０は筒状部材２０の中空部２０ｃを挿通して、他方の開口１１ａへとガイドされる。
【００４５】
このリボン３０の挿入は、一方の開口１１ａから差し込んだリボン３０が筒状部材２０を貫通し、他方の開口１１ａからはみ出したカバークロス３１の端部から出てくるまで行う。そして、図１０に示すように、リボン３０がカバークロス３１の端部から出てきたら、カバークロス３１とリボン３０とをクリップ３２で留めて一緒に筒状部材２０から引き出す。これにより、リボン３０の両端を露出させた上で、カバークロス３１の内側にリボン３０を通すことができる。
【００４６】
図１１（ａ）はカバークロス３１に通したリボン３０を示す図である。この図１１（ａ）が示すように、リボン３０は、端部を覗かせながらカバークロス３１で覆われており、いわばカバークロス３１でリボン３０の着せ替えができるようになっている。なお、図面上はリボン３０及びカバークロス３１に模様や色彩が付されていないが、実際は種々の模様や色彩が付されているので、リボン３０とカバークロス３１との組み合わせを変えることで様々なアレンジを楽しむことができる。
【００４７】
このようにカバークロス３１に通したリボン３０は、例えば図１１（ｂ）に示すようにヘアバンドとして使用することができる。すなわち、リボン３０の内部にワイヤーが入っているため、頭部に巻き付けた上で両端部を一緒にしてひねり、結んで留めることができる。また、このリボン３０は、ヘアバンドとして使用するのみならず、腕に巻いて使用することもできるし、カバン等に巻きつけて飾りとすることもできる。
【００４８】
以上説明したように、本実施形態に係るリボン通し具１０によれば、リボン３０へのカバークロス３１の取り付けが容易に行えるので、リボン３０に対して様々なカバークロス３１を外装させることでリボン３０に様々なアレンジを加えることができる。
【００４９】
なお、上記した実施形態においては、筒状部材２０を筐体１３の内部に回動自在に固定することとしたが、これに限らない。すなわち、筒状部材２０を筐体１３から着脱自在としてもよい。このような態様によれば、筒状部材２０を筐体１３から取り外すことで容易にカバークロス３１を外装させることができる。そして、筒状部材２０にカバークロス３１を外装させた後に、筒状部材２０を筐体１３にセットして、筒状部材２０の中空部２０ｃと前記開口１１ａとが一直線上に連通するようにする。この状態で開口１１ａからリボン３０を通すようにすれば、上記した実施形態と同様に、リボン３０へのカバークロス３１の取り付けが容易に行えるので、リボン３０に対して様々なカバークロス３１を外装させることでリボン３０に様々なアレンジを加えることができる。
【符号の説明】
【００５０】
１０  リボン通し具
１１  箱体
１１ａ  開口
１２  ヒンジ
１３  筐体
１３ａ  下部切欠き
１４  筒状部材固定部
１５  第１係止溝（仕切板取付部）
１６  第２係止溝（仕切板取付部）
１７  掛留部
１８  蓋部
１８ａ  上部切欠き
１９  留具
２０  筒状部材
２０ａ  基端
２０ｂ  先端
２０ｃ  中空部
２１  仕切板
２１ａ  切欠き
２１ｂ  係止部
３０  リボン
３１  カバークロス
３２  クリップ
Ｓ  間隙
【図１】
0003166839.tif 000003
【図２】
0003166839.tif 000004
【図３】
0003166839.tif 000005
【図４】
0003166839.tif 000006
【図５】
0003166839.tif 000007
【図６】
0003166839.tif 000008
【図７】
0003166839.tif 000009
【図８】
0003166839.tif 000010
【図９】
0003166839.tif 000011
【図１０】
0003166839.tif 000012
【図１１】
0003166839.tif 000013